【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
複数のビットにより表現されたコマンドを複数種類保持すると共に、これらの複数種類のコマンドから選択される１種以上のコマンドを所定の順番で組み合わせてなるコマンドセットを繰り返し送信する送信部を備え、
前記コマンドセット全体としてのビットパターンが、受信装置側において保持されているビットパターンと同一である
送信装置。
【請求項２】
前記送信部は、複数の送信モードでの送信を行うように構成され、
前記送信モードごとに、異なるコマンドセットが用意されている
請求項１に記載の送信装置。
【請求項３】
前記受信装置は、左眼用シャッタおよび右眼用シャッタを有するシャッタ眼鏡に備えられたものであり、
前記複数種類のコマンドは、それぞれ、前記左眼用シャッタもしくは前記右眼用シャッタまたはその双方の開閉駆動を指示するものであり、
前記複数の送信モードはそれぞれ、前記左眼用シャッタおよび前記右眼用シャッタの各相対的開放期間長を示す開放デューティの範囲を複数に区分したときの各区分範囲に対応する
請求項２に記載の送信装置。
【請求項４】
前記送信部は、
外部から受け取った、２値論理により表現される同期制御信号のデューティに基づいて、前記複数の送信モードから一の送信モードを選択し、
この選択した送信モード用に用意されているコマンドセットを前記受信装置に送信する
請求項２または請求項３に記載の送信装置。
【請求項５】
前記送信部は、前記開放デューティの値が５０％を示す送信モードでは、前記左眼用シャッタおよび前記右眼用シャッタの双方の開閉駆動をまとめて指示するコマンドである複合コマンドを用いる
請求項３に記載の送信装置。
【請求項６】
前記受信装置は、左眼用シャッタおよび右眼用シャッタを有するシャッタ眼鏡に備えられたものであり、
前記複数種類のコマンドは、それぞれ、前記左眼用シャッタもしくは前記右眼用シャッタまたはその双方の開閉駆動を指示するものである
請求項１に記載の送信装置。
【請求項７】
前記送信部は、
前記複数種類のコマンドの一部を用いて、前記左眼用シャッタおよび前記右眼用シャッタの開閉駆動をそれぞれ開状態にて停止させるためのコマンドセットである停止コマンドセットを生成し、
この停止コマンドセットを選択的に前記受信装置に送信する
請求項６に記載の送信装置。
【請求項８】
前記送信部は、外部から受け取った、２値論理により表現される同期制御信号のデューティまたは論理レベルに基づいて、前記停止コマンドセットの送信を決定する
請求項７に記載の送信装置。
【請求項９】
前記コマンドセットは、コマンドの有効／無効を示すビットの位置が、前記所定の順番で並べられて前記コマンドセットを構成する複数のコマンドにおける隣り合うコマンド同士の間で所定の規則性をもって変化するように構成されている
請求項１に記載の送信装置。
【請求項１０】
前記送信部は、既存の電子機器の遠隔制御に用いられる赤外光の波長とは異なる波長の赤外光、もしくは、前記既存の電子機器の遠隔制御に用いられる副搬送波周波数とは異なる周波数の副搬送波、または、その双方を用いて、前記コマンドセットを含む信号を送信する
請求項１に記載の送信装置。
【請求項１１】
複数種類の画像ストリームを順次切り換えて表示する表示部と、
前記複数種類の画像ストリームの切り換えタイミングと同期した開閉動作を行うシャッタ眼鏡に対し、複数のビットにより表現されたシャッタ制御コマンドを送信する送信部と
を備え、
前記送信部は、前記シャッタ制御コマンドを複数種類保持すると共に、これらの複数種類のシャッタ制御コマンドから選択される１種以上のシャッタ制御コマンドを所定の順番で組み合わせてなるコマンドセットを繰り返し送信し、
前記コマンドセット全体としてのビットパターンが、前記シャッタ眼鏡側において保持されているビットパターンと同一である
表示装置。
【請求項１２】
前記複数種類の画像が、互いに視差を有する左眼用画像および右眼用画像である
請求項１１に記載の表示装置。
【請求項１３】
複数のビットにより表現されたシャッタ制御コマンドを複数種類保持すると共にこれらの複数種類のシャッタ制御コマンドから選択される１種以上のシャッタ制御コマンドを所定の順番で組み合わせてなるコマンドセットを繰り返し送信する表示装置から、前記コマンドセットを受信する受信部と、
受信されたコマンドセットに基づいて、前記表示装置において順次切り換えて表示される複数種類の画像ストリームの切り換えタイミングと同期した開閉動作を行う左眼用シャッタおよび右眼用シャッタと、
前記コマンドセット全体としてのビットパターンと同一のビットパターンを保持する保持部と
を備えたシャッタ眼鏡。
【請求項１４】
前記受信部により受信されたコマンドセット全体としてのビットパターンと、前記保持部において保持されているビットパターンとのパターンマッチングを行う判別部と、
前記判別部によるパターンマッチング結果に基づいて、前記左眼用シャッタおよび前記右眼用シャッタに対する開閉駆動を行うシャッタ駆動部と
を備えた請求項１３に記載のシャッタ眼鏡。
【請求項１５】
送信装置と、
複数種類の画像ストリームを順次切り換えて表示する表示装置における表示動作と同期した開閉動作を行うシャッタ眼鏡と
を備え、
前記送信装置は、
複数のビットにより表現されたシャッタ制御コマンドを複数種類保持すると共に、これらの複数種類のシャッタ制御コマンドから選択される１種以上のシャッタ制御コマンドを所定の順番で組み合わせてなるコマンドセットを繰り返し送信する送信部を有し、
前記シャッタ眼鏡は、
前記送信部から前記コマンドセットを受信する受信部と、
受信されたコマンドセットに基づいて、前記複数種類の画像ストリームの切り換えタイミングと同期した開閉動作を行う左眼用シャッタおよび右眼用シャッタと、
所定のビットパターンを保持する保持部と
を有し、
前記コマンドセット全体としてのビットパターンが、前記保持部において保持されているビットパターンと同一である
送受信システム。
【請求項１６】
複数種類の画像ストリームを順次切り換えて表示する表示装置と、
前記表示装置における表示動作と同期した開閉動作を行うシャッタ眼鏡と
を備え、
前記表示装置は、
表示部と、
複数のビットにより表現されたシャッタ制御コマンドを複数種類保持すると共に、これらの複数種類のシャッタ制御コマンドから選択される１種以上のシャッタ制御コマンドを所定の順番で組み合わせてなるコマンドセットを繰り返し送信する送信部と
を有し、
前記シャッタ眼鏡は、
前記送信部から前記コマンドセットを受信する受信部と、
受信されたコマンドセットに基づいて、前記複数種類の画像ストリームの切り換えタイミングと同期した開閉動作を行う左眼用シャッタおよび右眼用シャッタと、
所定のビットパターンを保持する保持部と
を有し、
前記コマンドセット全体としてのビットパターンが、前記保持部において保持されているビットパターンと同一である
表示システム。
【請求項１７】
送信装置において、
各々が複数のビットにより表現された複数種類のシャッタ制御コマンドから選択される１種以上のシャッタ制御コマンドを所定の順番で組み合わせてなるコマンドセットを、そのコマンドセット全体としてのビットパターンがシャッタ眼鏡において保持されているビットパターンと同一となるように生成し、このコマンドセットを前記シャッタ眼鏡に対して繰り返し送信し、
前記シャッタ眼鏡において、
前記コマンドセットを受信し、
受信したコマンドセットに基づいて、左眼用シャッタおよび右眼用シャッタがそれぞれ、複数種類の画像ストリームを順次切り換えて表示する表示装置における前記複数種類の画像ストリームの切り換えタイミングと同期した開閉動作を行う
送受信方法。
【手続補正２】
【補正対象書類名】明細書
【補正対象項目名】０００８
【補正方法】変更
【補正の内容】
【０００８】
本発明の送信装置は、複数のビットにより表現されたコマンドを複数種類保持すると共に、これらの複数種類のコマンドから選択される１種以上のコマンドを所定の順番で組み合わせてなるコマンドセットを繰り返し送信する送信部を備えたものである。このコマンドセット全体としてのビットパターンは、受信装置側において保持されているビットパターンと同一となっている。
【手続補正３】
【補正対象書類名】明細書
【補正対象項目名】０００９
【補正方法】変更
【補正の内容】
【０００９】
本発明の表示装置は、複数種類の画像ストリームを順次切り換えて表示する表示部と、複数種類の画像ストリームをの切り換えタイミングと同期した開閉動作を行うシャッタ眼鏡に対し、複数のビットにより表現されたシャッタ制御コマンドを送信する送信部とを備えたものである。この送信部は、シャッタ制御コマンドを複数種類保持すると共に、これらの複数種類のシャッタ制御コマンドから選択される１種以上のシャッタ制御コマンドを所定の順番で組み合わせてなるコマンドセットを繰り返し送信するようになっている。上記コマンドセット全体としてのビットパターンは、シャッタ眼鏡側において保持されているビットパターンと同一となっている。
【手続補正４】
【補正対象書類名】明細書
【補正対象項目名】００１０
【補正方法】変更
【補正の内容】
【００１０】
本発明のシャッタ眼鏡は、複数のビットにより表現されたシャッタ制御コマンドを複数種類保持すると共にこれらの複数種類のシャッタ制御コマンドから選択される１種以上のシャッタ制御コマンドを所定の順番で組み合わせてなるコマンドセットを繰り返し送信する表示装置から、コマンドセットを受信する受信部と、受信されたコマンドセットに基づいて、表示装置において順次切り換えて表示される複数種類の画像ストリームの切り換えタイミングと同期した開閉動作を行う左眼用シャッタおよび右眼用シャッタと、コマンドセット全体としてのビットパターンと同一のビットパターンを保持する保持部とを備えたものである。
【手続補正５】
【補正対象書類名】明細書
【補正対象項目名】００１３
【補正方法】変更
【補正の内容】
【００１３】
本発明の送受信方法は、送信装置において、各々が複数のビットにより表現された複数種類のシャッタ制御コマンドから選択される１種以上のシャッタ制御コマンドを所定の順番で組み合わせてなるコマンドセットを、そのコマンドセット全体としてのビットパターンがシャッタ眼鏡において保持されているビットパターンと同一となるように生成し、このコマンドセットをシャッタ眼鏡に対して繰り返し送信し、このシャッタ眼鏡において、上記コマンドセットを受信し、受信したコマンドセットに基づいて、左眼用シャッタおよび右眼用シャッタがそれぞれ、複数種類の画像ストリームを順次切り換えて表示する表示装置における複数種類の画像ストリームの切り換えタイミングと同期した開閉動作を行うようにしたものである。
【手続補正６】
【補正対象書類名】明細書
【補正対象項目名】００１４
【補正方法】変更
【補正の内容】
【００１４】
本発明の送信装置、表示装置、シャッタ眼鏡、送受信システム、表示システムおよび送受信方法では、複数種類のコマンド（またはシャッタ制御コマンド）から選択される１種以上のコマンドが所定の順番で組み合わされてなり、送信装置（または送信部）から繰り返し送信されるコマンドセットにおいて、このコマンドセット全体としてのビットパターンが、受信装置（またはシャッタ眼鏡）側において保持されているビットパターンと同一となっている。これにより、送信側から受信側へとコマンドセットを含む信号の通信を行う際に、受信側において、そのコマンドセットが外部ノイズを含んでいるか否かの判別が容易となる。
【手続補正７】
【補正対象書類名】明細書
【補正対象項目名】００１５
【補正方法】変更
【補正の内容】
【００１５】
本発明の送信装置、表示装置、シャッタ眼鏡、送受信システム、表示システムおよび送受信方法によれば、送信装置（または送信部）から繰り返し送信されるコマンドセット全体としてのビットパターンが、受信装置（またはシャッタ眼鏡）側において保持されているビットパターンと同一となるようにしたので、送信側から受信側へとコマンドセットを含む信号の通信を行う際に、そのコマンドセットが外部ノイズを含んでいるか否かを受信側で容易に判別することができる。よって、そのような外部ノイズの影響を低減もしくは回避し易くなり、送信側と受信側との間で信頼性の高い通信を実現することが可能となる。
【手続補正８】
【補正対象書類名】明細書
【補正対象項目名】００４１
【補正方法】変更
【補正の内容】
【００４１】
送信部１５３は、例えば赤外線や電波などを用いた無線通信によりシャッタ制御信号ＣＴＬを送信し、シャッタ眼鏡６０に供給するものである。具体的には、シャッタ制御信号生成部１５１により生成されたコマンドセットＣＳを、繰り返し送信するようになっている。なお、この例では、送信部１５３は、シャッタ制御信号ＣＴＬを無線通信により伝送するものとしているが、有線通信により伝送するようにしてもよい。
【手続補正９】
【補正対象書類名】明細書
【補正対象項目名】００６３
【補正方法】変更
【補正の内容】
【００６３】
（２−１．信号処理部２０による同期制御信号Ｓｙｎｃの生成動作）
まず、信号処理部２０内の映像信号処理回路２３は、例えば、映像信号（左眼用映像信号および右眼用映像信号）の内容や切り換えタイミング、ユーザからのリモコン信号ＲＳを介した指示内容等に基づいて、同期制御信号Ｓｙｎｃを生成する。
【手続補正１０】
【補正対象書類名】明細書
【補正対象項目名】００６９
【補正方法】変更
【補正の内容】
【００６９】
このようにして、映像信号処理回路２３は、映像信号の内容や切り換えタイミング、ユーザからのリモコン信号ＲＳを介した指示内容等に基づいて、同期制御信号Ｓｙｎｃのデューティ（ＴＨ／Ｔsync）の設定することにより、同期制御信号Ｓｙｎｃを生成する。
【手続補正１１】
【補正対象書類名】明細書
【補正対象項目名】００７９
【補正方法】変更
【補正の内容】
【００７９】
図１０は、定常状態時の一動作例をタイミング図で表したものである。図１０（および後述する図１２，図１３）において、（Ａ），（Ｄ）は送信モードＡ処理時の動作を示し、（Ｂ），（Ｅ）は送信モードＢ処理時の動作を示し、（Ｃ），（Ｆ）は送信モードＣ処理時の動作を示す。また、（Ａ）〜（Ｃ）ではそれぞれ、図中の上から順に、シャッタ制御信号ＣＴＬに基づいて生成される左眼用シャッタ制御信号ＣＴＬＬおよび右眼用シャッタ制御信号ＣＴＬＲのタイミング波形（パルス波形）、シャッタ制御信号ＣＴＬに含まれるシャッタ制御コマンドＣＭＤの内容（図６（Ｂ）中の「Ａ」〜「Ｆ」に対応）、ならびに同期制御信号Ｓｙｎｃのタイミング波形（パルス波形）を示している。一方、（Ｄ）〜（Ｆ）ではそれぞれ、コマンドセットＣＳを構成する各シャッタ制御コマンドＣＭＤの時間軸に沿った並び順、ならびに各シャッタ制御コマンドＣＭＤの内容（「Ａ」〜「Ｆ」）およびコマンドビットＣＢの各ビット（ＣＢ４〜ＣＢ１）の論理値を示している。ただし、図示の簡略化のため、各シャッタ制御コマンドの内容のうちの「Ｅ」，「Ｆ」については、図６（Ｂ）中の「L−Open／R−Close」，「R−Open／L−Close」をそれぞれ、「L−O／R−C」，「R−O／L−C」と示している。同様に、コマンドビットＣＢの各ビットＣＢ４〜ＣＢ１の論理値については、「１」のみを示し、「０」の図示は省略している。なお、ここでは（Ａ）〜（Ｃ）中に図示したように、左眼用シャッタ６Ｌは、左眼用シャッタ制御信号ＣＴＬＬが「Ｈ」レベルの時に開状態（Open状態）となり、「Ｌ」レベルの時に閉状態（Close状態）になるものとする。同様に、右眼用シャッタ６Ｒは、右眼用シャッタ制御信号ＣＴＬＲが「Ｈ」レベルの時に開状態となり、「Ｌ」レベルの時に閉状態になるものとする。
【手続補正１２】
【補正対象書類名】明細書
【補正対象項目名】００８６
【補正方法】変更
【補正の内容】
【００８６】
なお、この開始処理時には、シャッタ眼鏡６０側では、コマンドセットＣＳにおけるビットパターンを複数回連続して受信したものと判別したときに、初めて表示モードの移行指示を認識し、３次元表示モードでの動作を開始する。
【手続補正１３】
【補正対象書類名】明細書
【補正対象項目名】０１１１
【補正方法】変更
【補正の内容】
【０１１１】
表示装置１０が画像Ａを表示している場合、図１６（Ａ）に示したように、シャッタ眼鏡６０Ａのシャッタ６Ａが開状態となると共に、シャッタ眼鏡６０Ｂのシャッタ６Ｂが閉状態となる。このとき、観察者９Ａが画像Ａを見ることとなる。一方、表示装置１０が画像Ｂを表示している場合、図１６（Ｂ）に示したように、シャッタ眼鏡６０Ａのシャッタ６Ａが閉状態となると共に、シャッタ眼鏡６０Ｂのシャッタ６Ｂが開状態となる。このとき、観察者９Ｂが画像Ｂを見ることとなる。これらの動作を交互に繰り返すことにより、画像Ａを観察者９Ａが見ることができると共に、画像Ｂを観察者９Ｂが見ることができる。すなわち、１つの表示装置に表示される複数の映像のそれぞれを複数の観察者が見ることができる、マルチビューシステムを実現することができる。